(57)【要約】  例えばファインバブルのような気泡を複数発生させた液体を用いて口腔内の洗浄を行う際に、磨く工程と漱ぎの工程の一体化が可能で、使用者が器具をくわえて使用するだけで、口腔内の洗浄と歯牙表面の洗浄を一斉に行える洗浄器具を提供する。  洗浄器具９は、ファインバブルを有する温水を内部の中空により形成した通路内を通過させて、口腔内で噴出させる複数の噴出口９ｃが形成されており、上顎の歯と下顎の歯との間で歯列に沿う歯列形状部分９ａを有し、複数の噴出口９ｃが上顎の歯の歯列及び下顎の歯の歯列の少なくとも一方の歯列に沿って歯列形状部分９ａに形成されている。
2017115836.tif 000002
【特許請求の範囲】
【請求項１】
口腔内を洗浄するために前記口腔内に収容される洗浄器具であって、  上顎の歯と下顎の歯との間で歯列に沿う略平板状の歯列形状部分と、  前記口腔内へ外部から複数の気泡であるファインバブルを有する液体を流入させる流入手段とを備え、  前記流入手段は、ユーザが上顎の歯と下顎の歯により挟んで噛んで前記歯列形状部分をくわえた状態において前記上顎の歯と下顎の歯に前記複数の気泡であるファインバブルを有する液体を当てるとともに、前記口腔内全体に前記複数の気泡であるファインバブルを有する液体を行きわたらせることを特徴とする、洗浄器具。
【請求項２】
前記流入手段とは別に、前記複数の気泡であるファインバブルを有する液体を前記口腔内から外部に排出する排出手段を備えた、請求項１記載の洗浄器具。
【請求項３】
前記流入手段によって流入される前記複数の気泡であるファインバブルを有する液体が喉に直接噴射されることを防止する防止手段を備えた、請求項１又は２記載の洗浄器具。
【請求項４】
前記複数の気泡であるファインバブルを有する液体を内部の中空により形成した通路内を通過させて、口腔内で噴出させる複数の噴出口が前記上顎の歯の歯列及び下顎の歯の歯列の少なくとも一方の歯列に沿って前記歯列形状部分に形成されていることを特徴とする、請求項１記載の洗浄器具。
【請求項５】
前記複数の噴出口は、前記上顎の歯の歯列及び下顎の歯の歯列の少なくとも一方の歯列に沿って少なくとも２列で配列されており、外側に配列された噴出口が歯の外側に対応して位置し、内側に配列された噴出口が歯の内側に対応して位置していることを特徴とする、請求項４記載の洗浄器具。
【請求項６】
前記各噴出口の開口方向が前記上顎の歯側又は下顎の歯側に向いていることを特徴とする、請求項４又は５記載の洗浄器具。
【請求項７】
前記各噴出口の開口方向が前記上顎の歯又は下顎の歯の歯牙表面に対して鋭角に交差する位置関係であることを特徴とする、請求項６記載の洗浄器具。
【請求項８】
前記歯列形状部分には、前記上顎の歯の歯列と前記下顎の歯の歯列の少なくとも一方に沿って歯の先端が収まる凹み部が形成されていることを特徴とする、請求項４から７のいずれかに記載の洗浄器具。
【請求項９】
前記歯列形状部分は、喉側の厚さが唇側の厚さよりも薄い形状をしていることを特徴とする、請求項４から８のいずれかに記載の洗浄器具。
【請求項１０】
前記歯列形状部分は、ユーザが上顎の歯と下顎の歯により挟んで噛んでも前記中空が潰れない強度の材質から作られていることを特徴とする、請求項４から９のいずれかに記載の洗浄器具。
【請求項１１】
前記歯列形状部分がユーザの歯列の形状に合わせて作られることを特徴とする、請求項４から１０のいずれかに記載の洗浄器具。
【請求項１２】
前記噴出口から噴出された液体が前記口腔内から唇を介して外部に吐出されるように誘導路が形成されていることを特徴とする、請求項４から１１のいずれかに記載の洗浄器具。
【請求項１３】
前記液体は炭酸ガスが溶解した液体である、請求項１から１２のいずれかに記載の洗浄器具。 
【発明の詳細な説明】
【技術分野】
【０００１】  本発明は、洗浄器具に関し、口腔内を洗浄する洗浄器具に関する。
【背景技術】
【０００２】  口腔内を洗浄するものとしては、一般に歯ブラシがある。歯ブラシは、近年は、電動歯ブラシも出てきており、技術の改良も進んでいる。また、マウスウォッシュと言われる液体のものでオーラルケアを行うものもある。さらに、近年は、歯の間の掃除のためのデンタルフロスや歯間ブラシに加えて、エアーフロスと呼ばれるものも出てきている。エアーフロスは、全体としては電動歯ブラシのような形状をしており、柄の先端にはブラシの代わりに小孔があいたノズルがある。使い方は、歯の間にノズルの小孔をあててスイッチを入れることで、水と空気が勢いよく出て、歯垢を除去しようとするものである。【０００３】  さらに、上記以外にも、特許文献１に記載のように、マイクロバブルを用いた口腔内の清掃する装置も提案されている。このマイクロバブルは先端の歯ブラシ部分から噴射されて、口腔内壁及び歯牙表面の清掃が行われる。ナノバブルを用いることについても、特許文献２に記載のように開示されているものもある。なお、特許文献２において、先行技術として挙げられたものとして特許文献３もある。ここで、一般に、マイクロバブルは球相当直径が１〜１００マイクロメートルの気泡を言い、ナノバブルはナノレベルの気泡でウルトラファインバブルとも言われ、球相当直径が１マイクロメートル以下の気泡をいう。ファインバブルは、球相当直径が１００マイクロメートル以下の気泡を言いい、上記のマイクロバブルとウルトラファインバブルを含んだ概念とされている。
【先行技術文献】
【特許文献】
【０００４】
【特許文献１】特開２００５−３４２０３０号公報
【特許文献２】特開２０１１−８８８４２号公報
【特許文献３】特開２０１４−１４０５３３号公報
【発明の概要】
【発明が解決しようとする課題】
【０００５】  しかしながら、従来の技術では、電動でなければ、歯ブラシについては、実際に手を動かす必要がある。電動であっても、歯磨き粉が必要になるという問題もある。すなわち、歯ブラシを使うとすると、歯を磨いて漱ぐということが必要になる。また、歯ブラシでは歯間の汚れの除去が十分ではないため、歯間ブラシ、デンタルフロス、エアーフロスのような別途の道具も必要になっている。【０００６】  また、マイクロバブルやナノバブルを用いる場合も提案されてきたが、特許文献１、２、３にも記載されている通り、いずれも先端は歯ブラシの形状やエアーフロスのノズルの形状をとることを想定しており、洗浄効果があがっても、歯ブラシやエアーフロスの延長上のものでしかなく、歯を１本１本磨く、歯間を１つずつ掃除するということにすぎない。【０００７】  ゆえに、本発明は、例えばファインバブルのような気泡を複数発生させた液体を用いて口腔内の洗浄を行う際に、磨く工程と漱ぎの工程の一体化が可能で、使用者が器具をくわえて使用するだけで、口腔内の洗浄と歯牙表面の洗浄を一斉に行える洗浄器具を提供することを目的とする。
【課題を解決するための手段】
【０００８】  本発明の第１の観点は、口腔内を洗浄するために前記口腔内に収容される洗浄器具であって、上顎の歯と下顎の歯との間で歯列に沿う略平板状の歯列形状部分と、前記口腔内へ外部から複数の気泡であるファインバブルを有する液体を流入させる流入手段とを備え、前記流入手段は、ユーザが上顎の歯と下顎の歯により挟んで噛んで前記歯列形状部分をくわえた状態において前記上顎の歯と下顎の歯に前記複数の気泡であるファインバブルを有する液体を当てるとともに、前記口腔内全体に前記複数の気泡であるファインバブルを有する液体を行きわたらせることを特徴とするものである。【０００９】  本発明の第２の観点は、第１の観点において、前記流入手段とは別に、前記複数の気泡であるファインバブルを有する液体を前記口腔内から外部に排出する排出手段を備えたものである。【００１０】  本発明の第３の観点は、第１又は第２の観点において、前記流入手段によって流入される前記複数の気泡であるファインバブルを有する液体が喉に直接噴射されることを防止する防止手段を備えたものである。【００１１】  本発明の第４の観点は、第１の観点において、前記複数の気泡であるファインバブルを有する液体を内部の中空により形成した通路内を通過させて、口腔内で噴出させる複数の噴出口が前記上顎の歯の歯列及び下顎の歯の歯列の少なくとも一方の歯列に沿って前記歯列形状部分に形成されていることを特徴とするものである。【００１２】  本発明の第５の観点は、第４の観点において、前記複数の噴出口は、前記上顎の歯の歯列及び下顎の歯の歯列の少なくとも一方の歯列に沿って少なくとも２列で配列されており、外側に配列された噴出口が歯の外側に対応して位置し、内側に配列された噴出口が歯の内側に対応して位置していることを特徴とするものである。【００１３】  本発明の第６の観点は、第４又は第５の観点において、前記各噴出口の開口方向が前記上顎の歯側又は下顎の歯側に向いていることを特徴とするものである。【００１４】  本発明の第７の観点は、第６の観点において、前記各噴出口の開口方向が前記上顎の歯又は下顎の歯の歯牙表面に対して鋭角に交差する位置関係であることを特徴とするものである。【００１５】  本発明の第８の観点は、第４から第７の観点のいずれかにおいて、前記歯列形状部分には、前記上顎の歯の歯列と前記下顎の歯の歯列の少なくとも一方に沿って歯の先端が収まる凹み部が形成されていることを特徴とするものである。【００１６】  本発明の第９の観点は、第４から第８の観点のいずれかにおいて、前記歯列形状部分は、喉側の厚さが唇側の厚さよりも薄い形状をしていることを特徴とするものである。【００１７】  本発明の第１０の観点は、第４から第９の観点のいずれかにおいて、前記歯列形状部分は、ユーザが上顎の歯と下顎の歯により挟んで噛んでも前記中空が潰れない強度の材質から作られていることを特徴とするものである。【００１８】  本発明の第１１の観点は、第４から第１０の観点のいずれかにおいて、前記歯列形状部分がユーザの歯列の形状に合わせて作られることを特徴とするものである。【００１９】  本発明の第１２の観点は、第４から第１１の観点のいずれかにおいて、前記噴出口から噴出された液体が前記口腔内から唇を介して外部に吐出されるように誘導路が形成されていることを特徴とするものである。【００２０】  本発明の第１３の観点では、第１から第１２の観点のいずれかにおいて、前記液体は炭酸ガスが溶解した液体である。
【発明の効果】
【００２１】  本発明によれば、口にくわえられて口腔内に収容される洗浄器具が上顎の歯と下顎の歯との間で歯列に沿う歯列形状部分を備え、さらに口腔内へ外部から複数の気泡であるファインバブルを有する液体を流入させる流入手段を備え、流入手段によって、ユーザが上顎の歯と下顎の歯により挟んで噛んで歯列形状部分をくわえた状態において上顎の歯と下顎の歯に複数の気泡であるファインバブルを有する液体を当てるとともに、口腔内全体に複数の気泡であるファインバブルを有する液体を行きわたらせることができる。これにより、口腔内の洗浄と歯牙表面の洗浄を一斉に行える。そして、ファインバブルであることから、洗浄力が強く、歯磨き粉等が不要になり、水やお湯を用いて洗浄を行いながら漱ぎも同時に行える。特に炭酸ガスが溶解したファインバブルであれば、その効果が大きなものとなる。また、洗浄器具の形状により、容易に液体を口一杯にすることもできると共に、液体による流れを使いながらそれをコントロールすることにより口腔内の内側の壁のマッサージも行える。
【図面の簡単な説明】
【００２２】
【図１】本発明の実施の形態における洗浄装置の全体を示したブロック図である。
【図２】図１の洗浄器具を示した図である。
【図３】図１の洗浄器具が実際に使用される状態を説明する図である。
【図４】図１の洗浄器具の他の例を示した斜視図である。
【図５】図４の洗浄器具の平面図である。
【図６】図４の洗浄器具の底面図である。
【図７】図４の洗浄器具の正面図である。
【図８】図４の洗浄器具の背面図である。
【図９】図４の洗浄器具の左側面図である。
【図１０】図９のＸ−Ｘライン断面図である。
【図１１】図９のＸＩの位置において上顎の歯と下顎の歯との間で洗浄器具が挟まれた状態を示した略式模式図である。
【図１２】図９のＸＩＩの位置において上顎の歯と下顎の歯との間で洗浄器具が挟まれた状態を示した略式模式図である。
【図１３】図１の洗浄器具のさらに他の例を示した斜視図である。
【図１４】図１３の洗浄器具の平面図である。
【図１５】図１３の洗浄器具の背面図である。
【図１６】図１３の洗浄器具の右側面図である。
【図１７】図１の洗浄器具のさらに他の例を示した斜視図である。
【図１８】図１７（Ａ）についての六面を示す図である。
【図１９】図１７（Ｂ）についての断面を示す図である。
【図２０】図１７（Ａ）の要部を拡大した第１の斜視図である。
【図２１】図１７（Ａ）の要部を拡大した第２の斜視図である。
【図２２】図１７の洗浄器具が使用されるイメージをＣＧによって示す図である。
【発明を実施するための形態】
【００２３】  以下に本発明の実施の形態について図面を参照して詳細に説明するが、本発明はこれに限定されるものではない。
【００２４】  図１は本発明の実施の形態における洗浄装置の全体を示したブロック図である。
【００２５】  洗浄装置１は、温水タンク３と、温水タンク３に接続管４を介して接続するウォーターポンプ５（送出手段の一例）と、ウォーターポンプ５に接続管６を介して接続するファインバブル発生部７（発生手段の一例）と、ファインバブル発生部７に接続管８を介して接続する洗浄器具９と、ファインバブル発生部７と洗浄器具９との間に設けられる水圧調整バルブ１０とを備える。さらに、洗浄装置１は、ファインバブルの発生にも使われる気体としての炭酸ガスを内部に有する炭酸ガスボンベ１１と、炭酸ガスボンベ１１に接続する減圧弁１３と、ファインバブル発生部７に接続するフレグランスカートリッジ１５と、減圧弁１３とフレグランスカートリッジ１５との間に設けられる電磁バルブ１７も備える。ウォーターポンプ５と電磁バルブ１７は、ＡＣ−ＤＣ変換器１９に繋がったスイッチ２１に電気的に接続されており、スイッチ２１により、その動作のオン／オフが行われる。なお、スイッチ２１のオンによるウォーターポンプ５と電磁バルブ１７への電力供給は、家庭内コンセント（１００Ｖ）からＡＣ−ＤＣ変換器１９によってＤＣ変換されて行われる。
【００２６】  図２は図１の洗浄器具を示した図であり、図２（Ａ）は平面図であり、図２（Ｂ）は正面図であり、図２（Ｃ）は左側面図である。図３は図１の洗浄器具が実際に使用される状態を説明する図である。以下、図２と図３を用いて、洗浄器具について、具体的に説明する。
【００２７】  洗浄器具９は、全体としては、平板状のＵ字形状をしている。厚さは誤嚥防止のために約５ミリ程度のサイズとなっている。このＵ字形状は、上顎の歯と下顎の歯との間で歯列に沿う歯列形状部分９ａによって形作られている。洗浄器具９には接続管８に繋がる入水口９ｂが設けられている。また、歯列形状部分９ａには、上顎の歯の歯列に沿って２列に並んだ噴出口９ｃが上側の面に設けられている。ここで、噴出口９ｃの径は、極めて小さいもので十分なものとなっている。同様に、歯列形状部分９ａには、下顎の歯の歯列に沿って２列に並んだ噴出口が下側の面にも設けられている。２列に並べたのは、歯の表側と裏側に配置することにより、歯牙表面や歯槽部への噴射したものを少しでも届かせるためである。歯列形状部分９ａには、入水口９ｂを入口にして中空による液体が通過する通路が形成されており、その通路と上記噴出口９ｃが繋がっている構造をしている。また、歯列形状部分９ａには、入水口９ｂ側の唇付近には、凹み形状による誘導路９ｄが２つ形成されている。この誘導路９ｄは、図３のように口腔内に収納された洗浄器具９の噴出口９ｃから噴出された水、お湯等の口腔内の洗浄のための液体が口一杯になって唇から外に吐出される際の誘導を行う役割を果たしている。なお、洗浄器具９の材質は、一般的なマウスガードが歯の保護からゴム等を使用しているのに対し、ユーザが噛んでも内部の中空が潰れないナイロンや樹脂等を使っている。このような強度にする理由は、ユーザが噛んでも内部の中空による通路を確保することが必要だからである。
【００２８】  次に、図１から図３を用いて、洗浄装置１及び洗浄器具９の動作を説明する。
【００２９】  まず、温水タンク３にある温水は、液体の一例であるが、スイッチ２１によって電源オンのウォーターポンプ５によって、ファインバブル発生部７に送られる。ファインバブル発生部７は、気体を用いてファインバブルを発生するが、具体的な技術としては、例えば、特開２０１０−１６７４０４号公報、特開２０１２−７５７４４号公報の技術などが用いられればよい。ここでは、ファインバブルを発生させる上で、下記のように、炭酸ガスを用いて、それを溶解させていることも、大きな特徴の一つになっている。
【００３０】  炭酸ガスボンベ１１の炭酸ガスは、減圧弁１３によって減圧されている。電磁バルブ１７が、スイッチ２１により電源オフの場合には炭酸ガスは電磁バルブで遮断されている。これにより、ユーザが洗浄をしない装置の未使用時には炭酸ガスが流出してしまうことが防止されることになっている。スイッチ２１により電磁バルブ１７がオンの場合には、炭酸ガスはフレグランスカートリッジ１５を通過することで香りがつけられる。香りつきの炭酸ガスは、ファインバブル発生部７でファインバブルの発生のために用いられ、温水に溶解することになる。炭酸ガスが溶解した温水は、水圧調整バルブ１０によって水圧が調整され、洗浄器具９に送り込まれ、複数の噴出口９ｃから上顎の歯列及び下顎の歯列に対してその歯牙表面に勢いよく噴出される。
【００３１】  このように、複数の噴出口９ｃが歯列に沿って並んでおり、歯（歯牙や歯槽部）のすぐ傍から炭酸ガスファインバブルを含んだ温水が噴出され、歯間や歯周ポケットの微細な空間にファインバブルが入り込むことによって従来の方法では困難であった部位の洗浄が可能になる。そして、従来に比べて磨き残しが減り、歯牙の表面の汚れや歯肉の汚れがきれいに取れることになる。これによって、虫歯や歯周病予防が可能になる。ここで、炭酸ガスファインバブルによる汚れが取れる理由には、水圧だけでなく、荷電していることも影響している。すなわち、ファインバブルが陰荷荷電であり、陽性に荷電した汚れを吸着できる面があるからである。また、今回の洗浄装置は、エアーフロスのような一本一本に対してのものではなく、洗浄器具９を口の中に含ませて電源をオンとすることにより、上顎の歯及び下顎の歯に向かった水流が適切な水圧で噴射され、そして炭酸ガスファインバブルを含んだ温水が勢いよく噴出されて口一杯になり、歯牙の表面だけでなく、口腔内の全体の洗浄を行うことができるようになっていることも、重要なメリットとなっている。また、歯ブラシを用いた場合の歯磨き粉のようなものは不要で、炭酸ガスや香りがついているにしても、基本的に温水での洗浄になるため、すすぎが不要になるというメリットがある。これにより、洗浄の手間とすすぎの手間の軽減も図られることになっている。さらに、炭酸ガスに香りがつけられ、香り付きの炭酸ガスファインバブル含んだ温水であることから、口臭対策も合わせて行われるという点も工夫されている。
【００３２】  さらに、水流による適切な水圧で炭酸ガスファインバブルを含んだ温水が歯肉へも噴射されることによるマッサージ効果もあるが、水流が口全体に広がることで、水流による口腔内のマッサージ効果も得られることも、今までの歯ブラシ、エアーフロス等とは大きな違いであり、特徴的な効果と言える。なお、水圧は、ユーザの希望により水圧調整バルブ１０の調整を行えるようにして、各ユーザに適切な水圧に変更可能なものとすることができるようになっている。この点からさらに工夫したものとしては、例えば、ウォーターポンプによる温水の送出しが周期的なリズムで送出されると、マッサージ効果を大きなものとすることもできる。そして、上記したように口一杯に含ませながらの洗浄という短時間で終えることのできる新しいスタイルに伴い、洗浄に用いた温水が口腔内から唇を通じて外に吐出し易くする点の工夫である誘導路９ｄを設けていることも特徴になっている。
【００３３】  なお、このような炭酸ガスファインバブルを用いることによる、特に炭酸ガスを用いたことによる効果があることを以下にさらに記載する。炭酸ガスを用いると、洗浄効果のＵＰ、制菌効果のＵＰ、抹消血管拡張による血流改善効果のＵＰなどの効果がある。さらに、装置としては残った温水に細菌が増殖しないようにすることも大切な視点になるが、炭酸ガスを用いることにより、水中の酸素を追い出すことができ、細菌の増殖を抑えることができるという効果もある。これによって、洗浄に用いる温水を清潔に保ち、口腔内の洗浄を清潔に行うことができるという利点もある。
【００３４】  また、上記では、一般家庭で、大人等が洗浄装置１を使用することを想定した記載になっているが、例えば乳幼児や高齢者のような自身で歯磨きが難しい人に対しては、その効果は大きい。特に、高齢者は、歯がグラグラして歯周病を患わっていることも多く、歯ブラシでの歯磨きは痛がってしまうこともあるが、その点では痛みを伴わなくて済む簡便な洗浄になるばかりか、マッサージ効果もあり、洗浄装置１を使用するメリットは大きい。この点は、家庭だけでなく、介護や看護の現場では、メリットが大きいと言える。さらに、高齢者だけでなく、歯牙欠損が生じている人にとっても、容易な洗浄ができることも大きなメリットになる。
【００３５】  図４は図１の洗浄器具の他の例を示した斜視図であり、図５は図４の洗浄器具の平面図であり、図６は図４の洗浄器具の底面図であり、図７は図４の洗浄器具の正面図であり、図８は図４の洗浄器具の背面図であり、図９は図４の洗浄器具の左側面図であり、図１０は図９のＸ−Ｘライン断面図である。なお、図９に示した左側面図と図示を省略した右側面図とは同じである。図１１は図９のＸＩの位置において上顎の歯と下顎の歯との間で洗浄器具が挟まれた状態を示した略式模式図であり、図１２は図９のＸＩＩの位置において上顎の歯と下顎の歯との間で洗浄器具が挟まれた状態を示した略式模式図である。
【００３６】  以下、図１及び図２に示したものとの相違点を主に記載する。洗浄器具２５には、洗浄器具９と同様に、歯列形状部分２５ａ、入水口９ｂ、噴出口２５ｄが設けられている。加えて、洗浄器具２５には、上顎の歯の歯列の先端を収める歯列に沿った凹み部２５ｅも設けられている。この凹み部２５ｅにより、歯と噴出口２５ｄとの位置決めと洗浄時の固定が可能になっている（図１１及び図１２参照）。また、この洗浄器具９は、図９にも示す通り、喉側の厚さと唇側の厚さを比べると、喉側の厚さが薄い形にしている。この形状にすることにより、口の中に収納されて歯で歯列形状部分２５ａを噛んだ状態において、顎の構造との関係で、しっかり口腔内で上顎の歯と下顎の歯と間で歯列形状部分２５ａが収まることになっている。なお、図１０〜図１２では、内部の中空による通路２５ｆも示している。
【００３７】  ここで、噴射口２５ｃについて、説明を追加する。洗浄器具９では、噴射口が２列に歯列に沿って並んでおり、その開口方向としては、上のものは上顎の歯側である上方に向き、下のものは下顎の歯側である下方に向いていた。しかしながら、この洗浄器具２５では、噴射口２５ｃが同じく２列に並んでいるものの、その開口方向としては、歯の中心部に向かい、上のものは上顎の歯２６ａ，２６ｃ側である上方に向きつつも歯の歯牙の表面とはできるだけ鋭角に交差する方向に向かせ、下のものは下顎の歯２６ｂ，２６ｄ側である下方に向きつつも歯の歯牙の表面とはできるだけ鋭角に交差する方向に向かせている（図１１及び図１２を参照）。このようにすることにより、図１１及び図１２に示すように、炭酸ガスファインバブルを含んだ温水２８による高い洗浄効果が得られることになる。
【００３８】  図１３は図１の洗浄器具のさらに他の例を示した斜視図であり、図１４は図１３の洗浄器具の平面図であり、図１５は図１３の洗浄器具の背面図であり、図１６は図１３の洗浄器具の右側面図である。
【００３９】  この例では、歯科医師等によってユーザ毎の歯列の型取りが行われ、オーダーメードで作られる洗浄器具２７が示されている。歯列形状部分２７ａ、入水口２７ｂ、噴出口２７ｃ、誘導路２７ｄも設けられている。ここでの噴射口２７ｃは、歯が収まる形になっており、各歯に合わせて上下１つずつ設けられ、１列に並んだものになっている。
【００４０】  なお、図１では、フレグランスカートリッジ１５を設けたが、これを設けないものであってもよい。
【００４１】  また、上記では、液体としては、温水を用いたが、水であってもよい。この装置専用の洗浄水であってもよい。
【００４２】  さらに、上記では、炭酸ガスを用いたが、他の気体を用いてファインバブルを作ってもよい。
【００４３】  さらに、上記では、誘導路９ｄ等を設けたが、必ずしもなくてもよい。また、誘導路は、上記のように上側に２箇所に限定されるものではなく、上側に３個以上を設けてもよく、下側にもいくつでも設けてもよく、上側と下側の両方に設けてもよい。
【００４４】  さらに、上記では、上下の両方の歯列に合わせて噴射口を設けたが、上側だけ、下側だけに噴射口を設けてもよい。その噴射口の列は、１列でも、２列でも、３列以上でもよい。
【００４５】  さらに、上記では、凹み部２５ｅを上側のみに設けたが、下側のみでもよく、図１１〜図１４に示したオーダーメード型のように上下の両方に設けてもよい。
【００４６】  図１７は図１の洗浄器具のさらに他の例を示した斜視図である。図１７（Ａ）はキャップをつける前の状態を示した図であってユーザに口にくわえられる状態を示した図であり、図１７（Ｂ）はキャップがつけられた状態を示した図であってユーザが口にくわえて使用しない状態を示した図である。図１８は図１７（Ａ）についての六面を示す図である。図１８（Ａ）は平面図、図１８（Ｂ）は底面図、図１８（Ｃ）は右側面図、図１８（Ｄ）は正面図、図１８（Ｅ）左側面図である。背面図は正面図と同じであり、省略している。図１９は図１７（Ｂ）についての断面を示す図である。図１９（Ｂ）は図１９（Ａ）のＡ−Ａライン断面図であり、図１９（Ｃ）は図１９（Ａ）のＢ−Ｂライン断面図であり、図１９（Ｄ）は図１９（Ａ）のＣ−Ｃライン断面図である。図２０は  図１７（Ａ）の要部を拡大した第１の斜視図であり、図２１は図１７（Ａ）の要部を拡大した第２の斜視図である。図２２は図１７の洗浄器具が使用されるイメージをＣＧによって示す図である。
【００４７】  図１７〜図１９に示すように、洗浄器具１００では、本体ボディ１０１に、給水側に繋がるインレットコネクタ１０３と、排水側に繋がるアウトレットコネクタ１０５が設けられている。また、本体ボディ１０１の先端側には、ユーザの口にくわえられて上の歯と下の歯とで挟まれる歯列形状部分１０７が設けられている。この歯列形状部分１０７は全体として平板状であり、喉に対向する位置にはファインバブルを有する水やお湯等が喉に直接噴射されることを防止する止水板（プロテクタ）１０９が設けられている。ユーザが使用しない場合には、キャップであるマウスアタッチメント１１１を装着できるようになっており、この状態でファインバブルを有する水やお湯等を流して、器具内の洗浄を行い、清潔を保てるようにしている。
【００４８】  図２０を参照して、この洗浄器具１００では、入水口と、排水口とを、明確に分離して設けている。図２１に示すように、入水した水等は、歯列形状部分１０７の方向に沿う流れを中心にしながら口全体に広がる流れになっている。そのため、上の歯と下の歯にある水圧レベルで当たりながら歯の汚れ等を落としつつ、口全体へもある水圧レベルであたりながらマッサージ効果を得られている。ここで、止水板（プロテクタ）１０９の役割を少し補足する。歯が閉じられていれば、水流が喉に直接噴射されることはないが、歯がしっかり閉じられていない場合には、直接当たるようなことが想定される。そのための万一のことも考えて、このような機構を設けている。このような機構により、両サイドへの受け流しが行われ、歯の上正面から両端及び下面へと確実に広がる構造になっている。
【００４９】  なお、図２２に示したように、お風呂場での使用を一つの使用イメージとして示したが、他にも、例えば洗面台に設ける等の他の使用例であってもよい。
【００５０】  また、ファインバブルを発生させる機能部分は図１７等の本体ボディ１０１内に収納されるように設けられるが、ここでは便宜上、省略している。そして、ここでも、フレグランスカートリッジを設けてもよく、設けないものであってもよい。さらに、液体としては、温水であってもよく、水であってもよく、装置専用の洗浄水であってもよい。さらに、炭酸ガスを用いてもよく、他の気体を用いてファインバブルを作ってもよい。
【００５１】  さらに、上記のように、洗浄器具は、平板状のマウスピース部分を口に含ませて口腔内の歯の洗浄を基本的に想定しているが、マウスピース部分の上に義歯をのせ、キャップをつけて水流を流すことによって、義歯を洗浄する使い方をしてもよい。
【符号の説明】
【００５２】９,２５,２７,１００・・・洗浄器具９ａ，２５ａ，２７ａ,１０７・・・歯列形状部分９ｂ，２５ｂ，２７ｂ・・・入水口９ｃ，２５ｃ，２７ｃ・・・憤出口９ｄ，２５ｄ，２７ｄ・・・誘導路２３・・・唇２５ｅ・・・凹み部２５ｆ・・・通路２６ａ，２６ｂ，２６ｃ，２６ｄ・・・歯２８・・・炭酸ガスファインバブルを含んだ温水
【図１】
2017115836.tif 000003
【図２】
2017115836.tif 000004
【図３】
2017115836.tif 000005
【図４】
2017115836.tif 000006
【図５】
2017115836.tif 000007
【図６】
2017115836.tif 000008
【図７】
2017115836.tif 000009
【図８】
2017115836.tif 000010
【図９】
2017115836.tif 000011
【図１０】
2017115836.tif 000012
【図１１】
2017115836.tif 000013
【図１２】
2017115836.tif 000014
【図１３】
2017115836.tif 000015
【図１４】
2017115836.tif 000016
【図１５】
2017115836.tif 000017
【図１６】
2017115836.tif 000018
【図１７】
2017115836.tif 000019
【図１８】
2017115836.tif 000020
【図１９】
2017115836.tif 000021
【図２０】
2017115836.tif 000022
【図２１】
2017115836.tif 000023
【図２２】
2017115836.tif 000024
【国際調査報告】
2017115836.tif 000025
2017115836.tif 000026
2017115836.tif 000027
2017115836.tif 000028